Podtech/llm-jp-corpus-v4-ja_patent huggingface dataset:
【誤訳訂正書】
【提出日】令和2年12月9日(2020.12.9)
【誤訳訂正１】
【訂正対象書類名】明細書
【訂正対象項目名】０２３３
【訂正方法】変更
【訂正の内容】
【０２３３】
【表１１】
2019535458.tif 000001
＊組成物全体中に存在するＨ２Ｏ２の重量パーセントにおける濃度に対する、水相中に存在するＨ２Ｏ２の重量パーセントにおける濃度の比率
１Ｓｏｌｖａｙ（ヒューストン、テキサス州）からの、ｕｌｔｒａ  Ｃｏｓｍｅｔｉｃ  Ｇｒａｄｅ
２Ｓｏｎｎｅｂｏｒｎ  ＬＬＣ（パーシッパニー、ニュージャージー州）からの、Ｇ−２１９１  Ｇｒａｄｅ
【誤訳訂正２】
【訂正対象書類名】特許請求の範囲
【訂正対象項目名】全文
【訂正方法】変更
【訂正の内容】
【特許請求の範囲】
【請求項１】
歯をホワイトニングするためのキットであって、
ａ）多相口腔用組成物であって、
ｉ）漂白剤を含む、前記多相口腔用組成物の０．００２重量％〜３０重量％の水相と、
ｉｉ）疎水性相と、を含む多相口腔用組成物と、
ｂ）２００ｎｍ〜１７００ｎｍの範囲での１つ以上の波長を伴う電磁放射線を、少なくとも１本の歯に向かって方向付けることが可能な電磁放射線源と、を含み、
前記多相口腔用組成物が油中水型エマルションであり、
前記漂白剤の濃度が、前記多相口腔用組成物の１０重量％以下であり、
前記疎水性相が、前記多相口腔用組成物の優勢部分である、キット。
【請求項２】
前記漂白剤の量が、前記多相口腔用組成物の０．０１重量％〜０．０９５重量％の範囲である、請求項１に記載のキット。
【請求項３】
前記多相口腔用組成物全体に存在する漂白剤の重量パーセントでの濃度に対する、前記水相中に存在する漂白剤の重量パーセントでの濃度の比率が、少なくとも５０である、請求項１又は２に記載のキット。
【請求項４】
前記疎水性相又は前記多相口腔用組成物の円錐貫入稠度値が、ＡＳＴＭ  Ｄ９３７−０７により測定された際に１００〜３００である、請求項１〜３のいずれか一項に記載のキット。
【請求項５】
前記疎水性相の滴下融点が、ＡＳＴＭ  Ｄ１２７−０８により測定されるように４０℃〜８０℃である、請求項１〜４のいずれか一項に記載のキット。
【請求項６】
１００００平方ミクロンよりも大きい断面領域を伴う二次元の液滴密度が、平方センチメートル当たり２０以下である、請求項１〜５のいずれか一項に記載のキット。
【請求項７】
過酸化物試験ストリップ上に塗抹された前記多相口腔用組成物の過酸化物の濃度の標準偏差が５０以下である、請求項１〜６のいずれか一項に記載のキット。
【請求項８】
過酸化物試験ストリップ上に塗抹された前記多相口腔用組成物の平均過酸化物濃度が１〜１００である、請求項１〜７のいずれか一項に記載のキット。
【請求項９】
歯の上に塗抹された前記多相口腔用組成物の平均残留過酸化物濃度が２０〜２００である、請求項１〜８のいずれか一項に記載のキット。
【請求項１０】
前記多相口腔用組成物中の前記漂白剤が、過酸化水素を含む、請求項１〜９のいずれか一項に記載のキット。
【請求項１１】
−Δｂ＊として算出される、前記多相口腔用組成物の漂白有効性が、少なくとも１．５である、請求項１〜１０のいずれか一項に記載のキット。
【請求項１２】
前記多相口腔用組成物全体中に存在する漂白剤の重量パーセンテージに対する、−Δｂ＊として算出される、前記多相口腔用組成物の漂白有効性の比率が、少なくとも１．５である、請求項１〜１１のいずれか一項に記載のキット。
【請求項１３】
送達支持材料を含む、請求項１〜１２のいずれか一項に記載のキット。
【請求項１４】
前記送達支持材料がストリップである、請求項１３に記載のキット。
【請求項１５】
前記電磁放射線源が、４００ｎｍ〜５００ｎｍの範囲の電磁放射線を放出し、１７５ｍＷ／ｃｍ２〜２２５ｍＷ／ｃｍ２の範囲にて、前記送達支持材料の外側表面又は少なくとも１つの歯に衝突する、請求項１４に記載の歯をホワイトニングするためのキット。
【誤訳訂正書】
【提出日】令和3年7月20日(2021.7.20)
【誤訳訂正１】
【訂正対象書類名】特許請求の範囲
【訂正対象項目名】全文
【訂正方法】変更
【訂正の内容】
【特許請求の範囲】
【請求項１】
光源の放射特性から散乱媒体における光ビームの時間分布及び空間分布を定量的に決定する方法であって、
光ビームの中の一つの光ビームのビーム方向（θ，φ）と光強度Ｉ（θ，φ）を決定して、その方向（θ，φ）とその大きさＩ（θ，φ）を有するビームベクトルｋを定義する工程と、
運動量空間における光の通過時間及び霧の濃さに応じた、このビームベクトルｋの散乱に依存する光強度分布ＩＩｍｐｕｌｓ（αＩｍｐｕｌｓ，ｔ）を決定する工程と、
この運動量空間における散乱に依存する光強度分布ＩＩｍｐｕｌｓ（αＩｍｐｕｌｓ，ｔ）を実空間における散乱に依存する光強度分布ＩＯｒｔ（αＯｒｔ，ｔ）に変換する工程と、
実空間における距離に依存する光強度ＩＥ（θ，φ，ｒＰ）と散乱に依存する光強度分布ＩＯｒｔ（αＯｒｔ，ｔ）とから、実空間における観測点Ｐの照度Ｅ（θＰ，φＰ，ｒＰ）を決定する工程と、
を有する方法。
【請求項２】
照度分布Ｅ（θＰ，φＰ，ｄＰ）が、それぞれ同じ間隔ｄＰの複数の観測点Ｐに関して決定されて、視覚的な判断基準に基づき、関連した分布として評価される請求項１に記載の方法。
【請求項３】
それぞれ異なる間隔ｖＰ、或いはそれぞれ異なる観測角度ｄ（θＰ，φＰ，θ，φ）及び間隔ｖＰを有する少なくとも一つの観測点Ｐ（又はその観測点Ｐの周りの限定された周囲領域）に関する複数の照度Ｅ（θＰ，φＰ，ｒＰ）が決定されて、視覚的な判断基準に基づき個々に、或いはシーケンスとして評価される請求項１に記載の方法。
【請求項４】
均質な散乱媒体における視程を定量的に決定する方法であって、
少なくとも一つの周囲領域検出手段を用いて、周囲領域から少なくとも一つの光源の画像データを検出する工程と、
前記の少なくとも一つの周囲領域検出手段の画像データ及び／又は少なくとも一つの別の周囲領域検出手段のデータから、前記の少なくとも一つの光源の光が前記の光源と少なくとも一つの周囲領域検出手段の間を通過する時間ｔＬａｕｆｚｅｉｔを算出する工程と、
前記の少なくとも一つの周囲領域検出手段の画像データと少なくとも一つの光源の光の通過時間とから、前記の少なくとも一つの光源の散乱光の輝度分布の半値角度αＨａｌｂｗｅｒｔを算出する工程であって、この半値角度αＨａｌｂｗｅｒｔは、中心点としての前記光源から出発して、検出された照度を定義された比率に分割する水平立体角度及び／又は垂直立体角度である工程と、
この半値角度αＨａｌｂｗｅｒｔに応じて定義される、光量Ｉ０に対する運動量空間における散乱に依存する光強度分布ＩＩｍｐｕｌｓの比率を選定する工程と、
前記の半値角度αＨａｌｂｗｅｒｔと少なくとも一つの光源の光の通過時間とから霧の濃さを算出して、定量的な視程を導き出す工程と、
を有する方法。
【請求項５】
前記の半値角度αＨａｌｂｗｅｒｔが、検出された光強度を約１：１の比率に分割する角度である請求項４に記載の方法。
【誤訳訂正２】
【訂正対象書類名】明細書
【訂正対象項目名】０００２
【訂正方法】変更
【訂正の内容】
【０００２】
霧などの散乱媒体における視程を決定する必要性は、特に、地上、水上及び空中における交通路使用者の行動様式を適合させるとの背景に鑑みて、十分に知られている。
【誤訳訂正３】
【訂正対象書類名】明細書
【訂正対象項目名】０００９
【訂正方法】変更
【訂正の内容】
【０００９】
【特許文献１】ＤＥ６８９０２８７７Ｔ２
【特許文献２】独国特許出願公開第１０３０３０４６号明細書
【特許文献３】西独国実用新案公開第６８１２３３４号明細書
【特許文献４】独国特許発明第３６０１３８６号明細書
【特許文献５】独国特許発明第１０２００４０１７８８４号明細書
【手続補正書】
【提出日】令和2年11月20日(2020.11.20)
【手続補正１】
【補正対象書類名】明細書
【補正対象項目名】００１６
【補正方法】変更
【補正の内容】
【００１６】
亜鉛イオンの非存在下で向上した固有安定性および二量体を超えた自己会合の減少を示すことが本分野において知られているインスリン類似体は、ＡｓｐＢ１０インスリンによって提供される。野生型残基（ＨｉｓＢ１０）は、天然の六量体集合体において、当該六量体の中心軸において２つの軸方向亜鉛イオンを配位するように機能する。ＡｓｐによってＨｉｓＢ１０を置換すると、この軸方向モードでの亜鉛イオンの結合を損なわせ、古典的な六量体の三量体関連表面を介した高次自己会合を阻止する。ＡｓｐＢ１０は、一般的な理由として、好ましいＣ−Ｃａｐ残基として、潜在的な（ｉ、ｉ＋４）塩橋（ＧｌｕＢ１４を有する）の形成を通じた静電気的メカニズムを介して亜鉛を含まない単量体または二量体における中央のＢ鎖αヘリックスの部分的安定性を高めることが期待される。タンパク質安定性の理論的根拠にかかわらず、ＡｓｐによるＨｉｓＢ１０の置換は、化学的変性の研究によって検証されたように、亜鉛を含まないインスリン単量体の熱力学的安定性を増強することが確かに観察された。ＡｓｐＢ１０はまた、インスリン受容体に対するインスリンの親和性を高め、それと並行して、単離された脂肪細胞における脂質生成を刺激する能力を増強する。野生型インスリンにおけるＡｓｐによるＨｉｓＢ１０の置換によって与えられる上記の好ましい性質にもかかわらず、その臨床的使用は、野生型インスリンと比較したＡｓｐＢ１０インスリンによるスプラーグ−ドーリーラットの慢性治療における乳腺腫瘍の過剰発生率の発見に関連して、腫瘍性細胞株（ヒト乳癌由来の細胞株を含む）の細胞培養アッセイにおける分裂促進性の増加によって排除された。本発明は、スプラーグ−ドーリーラットにおける発癌との好ましくない関連性のために、安定化置換としてのＡｓｐＢ１０の使用を除外する。本発明はまた、球状タンパク質または非極性ペプチド接触面（フッ素化脂肪族または芳香族側鎖など）の熱力学的安定性を高めることが本分野で知られている人工アミノ酸を除外し、そのような非天然アミノ酸は患者またはヒト被験者での長期間の使用を目的とした医療製品において製造コストの上昇および未知の毒性と関連する。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  国際公開第２０１６／１１８６３１号
（特許文献２）  国際公開第２０１１／１５９８９５号
（特許文献３）  国際公開第２０１１／１５９８８２号
（非特許文献）
（非特許文献１）  （ＢＥＲＥＮＳＯＮ．ＤＦ  ｅｔ  ａｌ．）  Ｉｎｓｕｌｉｎ  ａｎａｌｏｇｓ  ｔｏｒ  ｔｈｅ  ｔｒｅａｔｍｅｎｔ  ｏｆ  ｄｉａｂｅｔｅｓ  ｍｅｌｌｉｔｕｓ：  ｔｈｅｒａｐｅｕｔｉｃ  ａｐｐｌｉｃａｔｉｏｎｓ  ｏｆ  ｐｒｏｔｅｉｎ  ｅｎｇｉｎｅｅｒｉｎｇ．Ａｎｎａｌｓ  ｏｆ  ｔｈｅ  Ｎｅｗ  Ｙｏｒｋ  Ａｃａｄｅｍｙ  ｏｆ  Ｓｃｉｅｎｃｅｓ．Ｄｅｃｅｍｂｅｒ  ２０１１，Ｅｐｕｂ  １３  Ｍａｒｃｈ  ２０１２，Ｖｏｌ．１２４３；  ｐａｇｅｓ  Ｅ４０−Ｅ５４
【手続補正書】
【提出日】令和2年11月20日(2020.11.20)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2019535761.tif 000001
［式中、
Ａは、以下：
【化２】
2019535761.tif 000002
［式中、
各Ｒ２は、−Ｃ１−４アルキル、−ハロＣ１−４アルキル、−ＣＮ、ハロ、−Ｃ（Ｏ）ＣＨ３、ジュウテリウム、及び−ジュウテリオ−Ｃ１−４アルキルから独立に選択され、ｐは、０、１又は２であり；
Ｒ３は、−Ｃ１−４アルキル、−ハロＣ１−４アルキル、−ＣＮ、ハロ、ジュウテリウム、及び−ジュウテリオ−Ｃ１−４アルキルから選択され；そして
ｑは、０又は１である］
から選択され；
Ｘは、−ＣＨ２−であり；
Ｙは、置換及び非置換のＣ１−４アルキレン、Ｃ２−４アルケニレン及びＣ３−６シクロアルキレンから選択され、ここで、置換Ｃ１−４アルキレン、置換Ｃ２−４アルケニレン及び置換Ｃ３−６シクロアルキレンは、ハロ、−Ｃ１−４アルキル、−ＯＨ及び−Ｃ３−４シクロアルキルのうちの１個で置換されている、Ｃ１−４アルキレン、Ｃ２−４アルケニレン及びＣ３−６シクロアルキレンであり；
Ｂは、以下：
【化３】
2019535761.tif 000003
［式中、
ｒは、０、１及び２から独立に選択され、Ｒ４は、Ｃ１−４アルキル、ハロＣ１−４アルキル、ハロゲン、−ＯＣＨＦ２、−ＣＮ、−ＣＨＦ２、−ＣＦ３、−ＯＣＦ３、−Ｎ（ＣＨ３）２、−ＯＣＨ３、−フェニル、
【化４】
2019535761.tif 000004
から選択され；
ｔは、０及び１から選択され、Ｒ５は、ハロゲンであり；そして
ｕは、０及び１から選択され、Ｒ６は、Ｃ１−４アルキル；及び
【化５】
2019535761.tif 000005
から選択される］
から選択され；そして
ｖは、０又は１である］
で示される化合物、又は薬学的に許容し得るその塩。
【請求項２】
各Ｒ２が、ジュウテリウム、−ＣＨ３、−ＣＤ３、−Ｃ（Ｏ）ＣＨ３、−ＣＮ、−Ｃｌ、及びＦから独立に選択され；そして
Ｒ３が、ジュウテリウム及び−ＣＮから選択される、請求項１記載の化合物。
【請求項３】
Ａが、以下：
【化６】
2019535761.tif 000006
2019535761.tif 000007
から選択される、請求項１又は２のいずれか一項記載の化合物。
【請求項４】
Ｙが、Ｆ、−ＣＨ３、−ＯＨ又は−シクロプロピルで置換されている、請求項１〜３のいずれか一項記載の化合物。
【請求項５】
Ｙが、以下：
【化７】
2019535761.tif 000008
［式中、＊は、キラル中心であって、（ｉ）Ｒ立体配置若しくはＳ立体配置の、又は（ii）複数の式（Ｉ）で示される化合物についてＲ及びＳ立体配置の混合物の、キラル中心を意味する］
から選択される、請求項１〜４のいずれか一項記載の化合物。
【請求項６】
ハロＣ１−４アルキルが、−ＣＨＦ２及び−ＣＦ３から選択され；そしてＣ１−４アルコキシが、−ＯＣＨ３である、請求項１〜５のいずれか一項記載の化合物。
【請求項７】
Ｂが、以下：
【化８】
2019535761.tif 000009
2019535761.tif 000010
から選択される、請求項１〜６のいずれか一項記載の化合物。
【請求項８】
以下：
【化９】
2019535761.tif 000011
2019535761.tif 000012
2019535761.tif 000013
2019535761.tif 000014
2019535761.tif 000015
2019535761.tif 000016
2019535761.tif 000017
2019535761.tif 000018
から選択される化合物、又は薬学的に許容し得るその塩。
【請求項９】
請求項１〜８のいずれか一項記載の化合物又は薬学的に許容し得るその塩、及び薬学的に許容し得る担体、希釈剤又は賦形剤を含む、医薬組成物。
【請求項１０】
内科治療において使用するための、請求項１〜８のいずれか一項記載の化合物又は薬学的に許容し得るその塩。
【請求項１１】
呼吸器障害を処置又は予防するための、請求項１〜８のいずれか一項記載の化合物又は薬学的に許容し得るその塩。
【請求項１２】
呼吸器障害の処置用又は予防用の医薬を調製するための、請求項１〜８のいずれか一項記載の化合物又は薬学的に許容し得るその塩。
【請求項１３】
哺乳動物における呼吸器障害を処置するための方法に用いられる医薬組成物であって、請求項１〜８のいずれか一項記載の化合物又は薬学的に許容し得るその塩を含む医薬組成物を哺乳動物に投与することを含む、方法に用いられる請求項１〜８のいずれか一項記載の化合物又は薬学的に許容し得るその塩を有効成分として含む医薬組成物。
【請求項１４】
ＴＲＰＡ１活性を調節するための、請求項１〜８のいずれか一項記載の化合物又は薬学的に許容し得るその塩。
【請求項１５】
ＴＲＰＡ１活性が介在する疾患又は症状を処置又は予防するための、請求項１〜８のいずれか一項記載の化合物又は薬学的に許容し得るその塩。
【請求項１６】
疾患又は症状が、疼痛、掻痒、炎症性障害、内耳障害、発熱若しくは別の体温調節障害、気管気管支の若しくは横隔膜の機能障害、胃腸の若しくは尿路の障害、慢性閉塞性肺疾患、失禁、又はＣＮＳへの血流低下若しくはＣＮＳの低酸素症に関連する障害である、請求項１５記載の化合物。
【請求項１７】
疾患又は症状が、疼痛、関節炎、掻痒、咳、喘息、炎症性腸疾患、又は内耳障害である、請求項１６記載の化合物。
【請求項１８】
ＴＲＰＡ１活性が介在する疾患又は症状の処置用又は予防用の医薬を調製するための、請求項１〜８のいずれか一項記載の化合物又は薬学的に許容し得るその塩の使用。
【請求項１９】
疾患又は症状が、疼痛、掻痒、炎症性障害、内耳障害、発熱若しくは別の体温調節障害、気管気管支の若しくは横隔膜の機能障害、胃腸の若しくは尿路の障害、慢性閉塞性肺疾患、失禁、又はＣＮＳへの血流低下若しくはＣＮＳの低酸素症に関連する障害である、請求項１８記載の使用。
【請求項２０】
疾患又は症状が、疼痛、関節炎、掻痒、咳、喘息、炎症性腸疾患、又は内耳障害である、請求項１９記載の使用。
【請求項２１】
ＴＲＰＡ１活性を調節するための方法であって、ＴＲＰＡ１と請求項１〜８のいずれか一項記載の化合物又は薬学的に許容し得るその塩とを接触させることを含む、方法。
【請求項２２】
哺乳動物におけるＴＲＰＡ１活性が介在する疾患又は症状を処置するための方法に用いられる医薬組成物であって、請求項１〜８のいずれか一項記載の化合物又は薬学的に許容し得るその塩を含む医薬組成物を哺乳動物に投与することを含む、方法に用いられる請求項１〜８のいずれか一項記載の化合物又は薬学的に許容し得るその塩を有効成分として含む医薬組成物。
【請求項２３】
疾患又は症状が、疼痛、掻痒、炎症性障害、内耳障害、発熱若しくは別の体温調節障害、気管気管支の若しくは横隔膜の機能障害、胃腸の若しくは尿路の障害、慢性閉塞性肺疾患、失禁、又はＣＮＳへの血流低下若しくはＣＮＳの低酸素症に関連する障害である、請求項２２記載の医薬組成物。
【請求項２４】
疾患又は症状が、疼痛、関節炎、掻痒、咳、喘息、炎症性腸疾患、又は内耳障害である、請求項２３記載の医薬組成物。
【手続補正書】
【提出日】令和2年11月19日(2020.11.19)
【手続補正１】
【補正対象書類名】特許請求の範囲
【補正対象項目名】全文
【補正方法】変更
【補正の内容】
【特許請求の範囲】
【請求項１】
抗菌ペプチドの産生および／または活性を刺激するための消毒組成物であって、前記消毒組成物が、
アマニ抽出物、フラキシード抽出物、ヘンプ種子抽出物、ブドウ種子抽出物、およびグレープフルーツ種子抽出物のうちの少なくとも一つを含む、０．００５重量％〜１５重量％の有効成分；
前記消毒組成物の総重量に基づいて、少なくとも４０重量％の一つ以上のＣ1〜8アルコール；及び
一つ以上の湿潤剤を含み、
前記消毒組成物が、前記有効成分を含まない別の同一の消毒組成物と比較して、統計的に有意な量だけ少なくとも一つの抗菌ペプチドの産生および／または活性を増加させる、消毒組成物。
【請求項２】
前記一つ以上のＣ1〜8アルコールが、前記消毒組成物の総重量に基づいて、少なくとも７０重量％存在する、請求項１に記載の消毒組成物。
【請求項３】
前記有効成分がタンパク質の加水分解物である、請求項１に記載の消毒組成物。
【請求項４】
前記タンパク質の加水分解物は、アマニ種子から抽出されたタンパク質の加水分解物である、請求項３に記載の消毒組成物。
【請求項５】
前記アマニタンパク質の加水分解物は、０．１〜５ｇ／ｌのペプチド化合物、および０．１〜２ｇ／ｌの糖を含有することを含む、請求項４に記載の消毒組成物。
【請求項６】
前記ペプチド化合物が５ｋＤａ未満の分子量を有する、請求項５に記載の消毒組成物。
【請求項７】
前記消毒組成物が、前記消毒組成物の総重量に基づいて、０．０５〜５重量％の前記有効成分を含む、請求項１に記載の消毒組成物。
【請求項８】
前記一つ以上の湿潤剤が、プロピレングリコール、ヘキシレングリコール、１，４−ジヒドロキシヘキサン、１，２，６−ヘキサントリオール、ソルビトール、ブチレングリコール、カプリリルグリコール、プロパンジオール、例えばメチルプロパンジオール、ジプロピレングリコール、トリエチレングリコール、グリセリン（グリセロール）、ポリエチレングリコール、エトキシジグリコール、ポリエチレンソルビトール、カプリル酸グリセリル／カプリン酸塩、およびそれらの組み合わせを含む、請求項１に記載の消毒組成物。
【請求項９】
前記消毒組成物が、前記有効成分を含まない別の同一の消毒組成物に対して少なくとも７％はデフェンシンの産生および／または活性を増加させる、請求項１に記載の消毒組成物。
【誤訳訂正書】
【提出日】令和3年3月24日(2021.3.24)
【誤訳訂正１】
【訂正対象書類名】特許請求の範囲
【訂正対象項目名】全文
【訂正方法】変更
【訂正の内容】
【特許請求の範囲】
【請求項１】
構成単糖として、グルクロン酸とアルドヘキソース環状物を１種のみ含む、生物由来ポリサッカライドの少なくとも１種（ただし、前記生物由来ポリサッカライドが菌産生のアルカリゲネス産生多糖体であるものを除く）、
エチレン性不飽和基及びフェニル基を含むモノマー、及び（メタ）アクリロイル基を含むモノマーからなる群より選択される少なくとも２種
のモノマー単位から得られる粒子状コポリマー、
アニオン界面活性剤、及び
水性化粧料の重量に対して５０〜９５重量％の水、を含有する、水性化粧料。
【請求項２】
前記ポリサッカライドが、追加の構成単糖として、デオキシアルドヘキソース環状物の少なくとも１種又はアルドペントース環状物の少なくとも１種を含む、請求項１記載の水性化粧料。
【請求項３】
前記アルドヘキソース環状物は、グルコース及びマンノースからなる群より選択される、請求項１又は２記載の水性化粧料。
【請求項４】
前記デオキシアルドヘキソース環状物は、フコース及び／又はラムノースである、請求項２又は３記載の水性化粧料。
【請求項５】
前記エチレン性不飽和基及びフェニル基を含むモノマーは、スチレン又は置換スチレンであり、前記（メタ）アクリロイル基を含むモノマーは、（メタ）アクリレートである、請求項１〜４のいずれか一項に記載の水性化粧料。
【請求項６】
前記粒子状コポリマーの平均粒径は、１０〜１０００ｎｍである、請求項１〜５のいずれか一項に記載の水性化粧料。
【請求項７】
２５℃における粘度が１０〜５００ｍＰａｓである、請求項１〜６のいずれか一項に記載の水性化粧料。
【請求項８】
多価アルコールの少なくとも１種を更に含有する、請求項１〜７のいずれか一項に記載の水性化粧料。
【請求項９】
前記多価アルコールは、アルキレングリコール及びグリセリンの混合物である、請求項８に記載の水性化粧料。
【請求項１０】
前記生物由来ポリサッカライドの少なくとも１種は、真菌由来のシロキクラゲ多糖体である、請求項１〜９のいずれか一項に記載の水性化粧料。
【請求項１１】
前記粒子状コポリマーは、スチレン／アクリレート  コポリマーであり、前記アニオン界面活性剤は、ラウリル硫酸ナトリウムである、請求項１〜１０のいずれか一項に記載の水性化粧料。
【請求項１２】
（ａ）シロキクラゲ多糖体、
（ｂ）スチレン／アクリレート  コポリマー、
（ｃ）ラウリル硫酸ナトリウム、
（ｄ）ブチレングリコール及び／又はグリセリン、及び
（ｅ）水性化粧料の重量に対して５０〜９５重量％の水、を含有する、請求項１〜１１のいずれか一項に記載の水性化粧料。
【請求項１３】
（ａ）成分、（ｂ）成分、（ｃ）成分、及び（ｄ）成分の含有量が、水性化粧料の重量に対して、それぞれ０．０１〜１重量％、０．０１〜０．５重量％、０．０００２５〜０．０１２５重量％、及び５〜３０重量％である、請求項１２に記載の水性化粧料。
【請求項１４】
前記アルドペントース環状物は、キシロースである、請求項２又は３記載の水性化粧料。
【誤訳訂正２】
【訂正対象書類名】明細書
【訂正対象項目名】０００９
【訂正方法】変更
【訂正の内容】
【０００９】
本発明の一態様に係る水性化粧料は、（１）構成単糖として、グルクロン酸とアルドヘキソース環状物１種とを含む、生物由来ポリサッカライドの少なくとも１種、（２）エチレン性不飽和基及びフェニル基を含むモノマー、及び（メタ）アクリロイル基を含むモノマーからなる群より選択される少なくとも２種のモノマー単位から得られる粒子状コポリマー、（３）アニオン界面活性剤、及び（４）水性化粧料の重量に対して５０〜９５重量％の水、を含有する。なお、（メタ）アクリロイルはアクリロイル又はメタクリロイルを意味する。例えば、（メタ）アクリレートは（メタ）アクリロイルを含む。
【誤訳訂正３】
【訂正対象書類名】明細書
【訂正対象項目名】００１０
【訂正方法】変更
【訂正の内容】
【００１０】
本発明に係る「水性化粧料」は、５０〜９５重量％、より好ましくは５０〜９９重量％の水を含有する組成物である。
【誤訳訂正４】
【訂正対象書類名】明細書
【訂正対象項目名】００１６
【訂正方法】変更
【訂正の内容】
【００１６】
エチレン性不飽和基及びフェニル基を含むモノマーは、スチレン又は置換スチレンであることが好ましく、（メタ）アクリロイル基を含むモノマーは、（メタ）アクリレートであることが好ましい。なお、粒子状コポリマーの平均粒径は、１〜１０００ｎｍとすることができる。平均粒径（粒径分布）は、動的光散乱法（ベックマン・コールター（株）製  ＤＬＳ  ＤｅｌｓａＭａｘ  ＣＯＲＥ）により測定可能である。このようなモノマーから得られ、粒径を有する粒子状コポリマーは、化粧品を不透明にするのに有効である。また、上記ポリサッカライドや界面活性剤と組み合わせると安定性に優れる。また、肌に触れたときの水感と、肌に塗り広げる際のコク感及びナリシング効果にも寄与する。
【誤訳訂正５】
【訂正対象書類名】明細書
【訂正対象項目名】００６２
【訂正方法】変更
【訂正の内容】
【００６２】
【表３】
2019535762.tif 000001
【手続補正書】
【提出日】令和2年11月19日(2020.11.19)
【手続補正１】
【補正対象書類名】特許請求の範囲
【補正対象項目名】全文
【補正方法】変更
【補正の内容】
【特許請求の範囲】
【請求項１】
抗菌ペプチドの産生および／または活性を刺激するための局所洗浄組成物であって、前記組成物が、
アマニ抽出物、フラキシード抽出物、ヘンプ種子抽出物、ブドウ種子抽出物、およびグレープフルーツ種子抽出物のうちの少なくとも一つを含む、０．００５重量％〜１５重量％の有効成分、
少なくとも一つの一次界面活性剤および少なくとも一つの二次界面活性剤、および
最大３５重量％の量の一つ以上の発泡剤を含み、
前記局所洗浄組成物が、前記有効成分を含まない別の同一の局所組成物に対して少なくとも７％はデフェンシンの前記産生および／または活性を増加させ、
前記局所洗浄組成物が発泡性組成物である、組成物。
【請求項２】
前記一次界面活性剤がラウレス硫酸ナトリウムである、請求項１に記載の局所洗浄組成物。
【請求項３】
前記二次界面活性剤が、コカミドプロピルベタイン、ココアンホジ酢酸２Ｎａ、コカミドプロピルヒドロキシスルタイン、およびラウリルグルコシドのうちの一つ以上から選択される、請求項１に記載の局所洗浄組成物。
【請求項４】
前記有効成分がタンパク質加水分解物である、請求項１に記載の局所洗浄組成物。
【請求項５】
前記タンパク質加水分解物は、アマニ種子から抽出されたタンパク質加水分解物である、請求項４に記載の局所洗浄組成物。
【請求項６】
前記アマニタンパク質加水分解物は、０．１〜５．０ｇ／ｌのペプチド化合物、および０．１〜２．０ｇ／ｌの糖を含む、請求項５に記載の局所洗浄組成物。
【請求項７】
前記ペプチド化合物が５ｋＤａ未満の分子量を有する、請求項６に記載の局所洗浄組成物。
【請求項８】
前記局所洗浄組成物が、前記局所洗浄組成物の重量に基づいて、０．０５〜５．０重量％の有効成分を含む、請求項１に記載の局所洗浄組成物。
【請求項９】
一つ以上のスキンコンディショニング剤をさらに含み、
前記一つ以上のスキンコンディショニング剤が、プロピレングリコール、ヘキシレングリコール、１，４−ジヒドロキシヘキサン、１，２，６−ヘキサントリオール、ソルビトール、ブチレングリコール、カプリリルグリコール、プロパンジオール、例えばメチルプロパンジオール、ジプロピレングリコール、トリエチレングリコール、グリセリン、ポリエチレングリコール、エトキシジグリコール、ポリエチレンソルビトール、カプリル酸グリセリル／カプリン酸塩、およびそれらの組合せを含む一つ以上の湿潤剤を含む、請求項１に記載の局所洗浄組成物。
【請求項１０】
前記湿潤剤が、前記局所洗浄組成物の重量に基づいて、最大２０重量％の量で存在する、請求項９に記載の局所洗浄組成物。
【請求項１１】
前記局所組成物がミリスチン酸セチル、セチルミリストレート、およびその他のセチルエステル、セバシン酸ジイソプロピル、ミリスチン酸イソプロピル、およびそれらの組合せを含む一つ以上の保湿エステルをさらに含む、請求項１に記載の局所洗浄組成物。
【請求項１２】
前記保湿エステルが、前記局所洗浄組成物の重量に基づいて、最大１０重量％の量で存在する、請求項１１に記載の局所洗浄組成物。
【手続補正書】
【提出日】令和2年11月19日(2020.11.19)
【手続補正１】
【補正対象書類名】特許請求の範囲
【補正対象項目名】全文
【補正方法】変更
【補正の内容】
【特許請求の範囲】
【請求項１】
皮膚の細菌の天然バランスを回復させるための局所洗浄組成物であって、
０．００５重量％〜１５重量％のラクトバチルス、クロストリジウム、サッカロマイス、ラクトコッカス、ペディコッカス、エンテロコッカス、エシェリキア、アルカリゲネス、コリネバクテリウム、バチルス、プロピオニバクテリウムの株およびそれらの組み合わせからなる群から選択されるプロバイオティック由来成分；
少なくとも一つの一次界面活性剤および少なくとも一つの二次界面活性剤；および
最大３５重量％の量の一つ以上の発泡剤を含み、
前記局所洗浄組成物が、前記プロバイオティック由来成分を含まない以外は同一の局所組成物に対して少なくとも４４％はデフェンシンの産生および／または活性を増加させ、
前記局所洗浄組成物が発泡性組成物である、組成物。
【請求項２】
前記一次界面活性剤がラウレス硫酸ナトリウムである、請求項１に記載の局所洗浄組成物。
【請求項３】
前記二次界面活性剤が、コカミドプロピルベタイン、ココアンホジ酢酸２Ｎａ、コカミドプロピルヒドロキシスルタイン、およびラウリルグルコシドのうちの一つ以上から選択される、請求項１に記載の局所洗浄組成物。
【請求項４】
前記局所洗浄組成物が、前記局所洗浄組成物の総重量に基づいて、０．０５〜５重量％の前記プロバイオティック由来成分を含む、請求項１に記載の局所洗浄組成物。
【請求項５】
前記局所洗浄組成物が、前記局所洗浄組成物の総重量に基づいて、０．１〜１重量％の前記プロバイオティック由来成分を含む、請求項４に記載の局所洗浄組成物。
【請求項６】
一つ以上のスキンコンディショニング剤をさらに含み、
前記一つ以上のスキンコンディショニング剤が、プロピレングリコール、ヘキシレングリコール、１，４−ジヒドロキシヘキサン、１，２，６−ヘキサントリオール、ソルビトール、ブチレングリコール、カプリリルグリコール、プロパンジオール、例えばメチルプロパンジオール、ジプロピレングリコール、トリエチレングリコール、グリセリン、ポリエチレングリコール、エトキシジグリコール、ポリエチレンソルビトール、カプリル酸／カプリン酸グリセリル、およびそれらの組み合わせからなる群から選択される一つ以上の湿潤剤を含む、請求項５に記載の局所洗浄組成物。
【請求項７】
前記湿潤剤が、グリセリンを含む、請求項６に記載の局所洗浄組成物。
【請求項８】
前記湿潤剤が、前記局所洗浄組成物の総重量に基づいて、最大２０重量％の量で存在する、請求項７に記載の局所洗浄組成物。
【請求項９】
前記局所消毒組成物が、一つ以上の詰まり防止添加剤を含む、請求項１に記載の局所洗浄組成物。
【請求項１０】
前記詰まり防止添加剤が、前記局所洗浄組成物の総重量に基づいて、最大２０重量％の量で存在する、請求項９に記載の局所洗浄組成物。
【請求項１１】
前記局所組成物が、ミリスチン酸セチル、セチルミリストレート、およびその他のセチルエステル、セバシン酸ジイソプロピル、ミリスチン酸イソプロピル、およびそれらの組み合わせからなる群から選択される一つ以上の保湿エステルをさらに含む、請求項１に記載の局所洗浄組成物。
【請求項１２】
前記保湿エステルが、前記局所洗浄組成物の総重量に基づいて、最大１０重量％の量で存在する、請求項１１に記載の局所洗浄組成物。
【手続補正書】
【提出日】令和2年11月27日(2020.11.27)
【手続補正１】
【補正対象書類名】特許請求の範囲
【補正対象項目名】請求項１４
【補正方法】変更
【補正の内容】
【請求項１４】
神経疾患または精神障害の処置において使用するための、請求項１３に記載の医薬組成物。
【手続補正２】
【補正対象書類名】特許請求の範囲
【補正対象項目名】請求項１７
【補正方法】変更
【補正の内容】
【請求項１７】
カッパオピオイド受容体の調節において使用するための、請求項１６に記載の医薬組成物。
【手続補正３】
【補正対象書類名】特許請求の範囲
【補正対象項目名】請求項１８
【補正方法】変更
【補正の内容】
【請求項１８】
神経疾患または精神障害の処置において使用するための、請求項１６に記載の医薬組成物。
【手続補正４】
【補正対象書類名】特許請求の範囲
【補正対象項目名】請求項２２
【補正方法】変更
【補正の内容】
【請求項２２】
神経疾患または精神障害の処置において使用するための、請求項２１に記載の医薬組成物。
【手続補正書】
【提出日】令和2年11月20日(2020.11.20)
【手続補正１】
【補正対象書類名】特許請求の範囲
【補正対象項目名】全文
【補正方法】変更
【補正の内容】
【特許請求の範囲】
【請求項１】
腫瘍壊死因子受容体スーパーファミリー（ＴＮＦＲＳＦ）のメンバーと結合する薬剤と、
下記の式を有する化合物：
【化１】
2019535772.tif 000001
（式中、
Ｘは、Ｈ、ハロ、−ＯＨ、−ＣＮ、−ＣＯＯＲ’、−ＯＲ’、−ＳＲ’、−ＯＣ（Ｏ）Ｒ’、−ＮＨＲ’、−ＮＲ’Ｒ”、−ＮＨＣ（Ｏ）Ｒ’、−ＮＨＣ（Ｏ）ＮＲ’Ｒ”、−Ｃ（Ｏ）ＮＲ’Ｒ”、−ＮＳ（Ｏ）２Ｒ’、−Ｓ（Ｏ）２ＮＲ’Ｒ”、−Ｓ（Ｏ）２Ｒ’、グアニジノ、ニトロ、ニトロソ、−Ｃ１〜Ｃ６アルキル、アリール、−Ｃ３〜Ｃ７シクロアルキル、および３〜１０員複素環からなる群から選択され、ここで、−Ｃ１〜Ｃ６アルキル、アリール、−Ｃ３〜Ｃ７シクロアルキル、または３〜１０員複素環は、非置換であってもよく、またはハロ、−ＯＨ、−ＣＮ、−ＣＯＯＲ’、−ＯＲ’、−ＳＲ’、−ＯＣ（Ｏ）Ｒ’、−ＮＨＲ’、−ＮＲ’Ｒ”、−ＮＨＣ（Ｏ）Ｒ’、−ＮＨＣ（Ｏ）ＮＲ’Ｒ”、−Ｃ（Ｏ）ＮＲ’Ｒ”、−ＮＳ（Ｏ）２Ｒ’、−Ｓ（Ｏ）２ＮＲ’Ｒ”、−Ｓ（Ｏ）２Ｒ’、グアニジノ、ニトロ、ニトロソ、−Ｃ１〜Ｃ６アルキル、アリール、または−Ｃ３〜Ｃ７シクロアルキルのうちの１つもしくは複数で置換されていてもよく；
Ｙは、Ｈ、−Ｃ１〜Ｃ６アルキル、−Ｃ３〜Ｃ１２シクロアルキル、アリール、および３〜１０員複素環からなる群から選択され、ここで、−Ｃ１〜Ｃ６アルキル、−Ｃ３〜Ｃ１２シクロアルキル、アリール、または３〜１０員複素環は、非置換であってもよく、または−ハロ、−Ｃ１〜Ｃ６アルキル、−Ｃ３〜Ｃ１２シクロアルキル、３〜１０員複素環、アリール、−ＯＨ、−ＣＮ、−ＣＯＯＲ’、−ＯＲ’、−ＳＲ’、−ＯＣ（Ｏ）Ｒ’、−ＮＨＲ’、−ＮＲ’Ｒ”、−ＮＨＣ（Ｏ）Ｒ’、−ＮＨＣ（Ｏ）ＮＲ’Ｒ”、−Ｃ（Ｏ）ＮＲ’Ｒ”、−ＮＳ（Ｏ）２Ｒ’、−Ｓ（Ｏ）２ＮＲ’Ｒ”、−Ｓ（Ｏ）２Ｒ’、グアニジノ、ニトロ、またはニトロソのうちの１つもしくは複数で置換されていてもよく；
Ｒ’またはＲ”は、−Ｈであってもよく、または−Ｃ１〜Ｃ６アルキルであってもよく；
Ｚは、−ＮＨＯＨであり；そして、
Ｑは、Ｈおよびハロからなる群から選択される）
またはその薬学的に許容される塩もしくは溶媒和物と
を含む組成物。
【請求項２】
前記ＴＮＦＲＳＦのメンバーと結合する薬剤が、ＴＮＦＲＳＦのメンバーのアゴニストからなる、請求項１に記載の組成物。
【請求項３】
前記ＴＮＦＲＳＦのメンバーと結合する薬剤が、ＴＮＦＲＳＦのメンバーに対する抗体、ＴＮＦＲＳＦのメンバーに対する前記抗体の抗原結合部分、イムノアドヘシン、融合タンパク質、およびオリゴペプチドからなる群から選択されるポリペプチドからなる、請求項１に記載の組成物。
【請求項４】
前記ＴＮＦＲＳＦのメンバーと結合する薬剤が、４−１ＢＢ（ＣＤ１３７）アゴニストからなる、請求項１〜３のいずれか一項に記載の組成物。
【請求項５】
前記４−１ＢＢ（ＣＤ１３７）アゴニストが、４−１ＢＢ（ＣＤ１３７）に対する抗体、４−１ＢＢ（ＣＤ１３７）に対する前記抗体の抗原結合断片、イムノアドヘシン、融合タンパク質、およびオリゴペプチドからなる群から選択される、請求項４に記載の組成物。
【請求項６】
前記ＴＮＦＲＳＦのメンバーと結合する薬剤が、ＧＩＴＲアゴニストからなる、請求項１〜３のいずれか一項に記載の組成物。
【請求項７】
前記ＧＩＴＲアゴニストが、ＧＩＴＲに対する抗体、ＧＩＴＲに対する前記抗体の抗原結合断片、イムノアドヘシン、融合タンパク質、およびオリゴペプチドからなる群から選択される、請求項６に記載の組成物。
【請求項８】
Ｙが、シクロペンチル、シクロヘキシル、およびシクロヘプチルからなる群から選択される、請求項１〜７のいずれか一項に記載の組成物。
【請求項９】
Ｙが、シクロペンチルメチル、シクロヘキシルメチル、シクロヘプチルメチルからなる群から選択される、請求項１〜７のいずれか一項に記載の組成物。
【請求項１０】
Ｙが、シクロヘキシルメチルからなる、請求項９に記載の組成物。
【請求項１１】
前記化合物が、４−（１−（シクロヘキシルメチル）−１Ｈ−ベンゾ［ｄ］イミダゾール−２−イルアミノ）−Ｎ−ヒドロキシベンズアミド（化合物ＩＤ＃２４）からなる、請求項１０に記載の組成物。
【請求項１２】
がんを処置する、がん免疫療法を提供する、または少なくとも１つのヒストンデアセチラーゼを阻害し、自然および適応免疫を増強する使用のための請求項１〜１１のいずれか一項に記載の組成物であって、ここで前記組成物の量が、がんの進行を遅延させるのに十分な治療有効量である、組成物。
【請求項１３】
前記がんが、結腸直腸がん、黒色腫、非小細胞がん、卵巣がん、乳がん、膵がん、血液系悪性腫瘍、および腎細胞癌腫からなる群から選択される、請求項１２に記載のがんを処置する使用のための組成物。
【請求項１４】
細胞における少なくとも１つのヒストンデアセチラーゼ（ＨＤＡＣ）を阻害することにおける使用のための組成物であって、
下記の式を有する化合物：
【化２】
2019535772.tif 000002
（式中、
Ｘは、Ｈ、ハロ、−ＯＨ、−ＣＮ、−ＣＯＯＲ’、−ＯＲ’、−ＳＲ’、−ＯＣ（Ｏ）Ｒ’、−ＮＨＲ’、−ＮＲ’Ｒ”、−ＮＨＣ（Ｏ）Ｒ’、−ＮＨＣ（Ｏ）ＮＲ’Ｒ”、−Ｃ（Ｏ）ＮＲ’Ｒ”、−ＮＳ（Ｏ）２Ｒ’、−Ｓ（Ｏ）２ＮＲ’Ｒ”、−Ｓ（Ｏ）２Ｒ’、グアニジノ、ニトロ、ニトロソ、−Ｃ１〜Ｃ６アルキル、アリール、−Ｃ３〜Ｃ７シクロアルキル、および３〜１０員複素環からなる群から選択され、ここで、−Ｃ１〜Ｃ６アルキル、アリール、−Ｃ３〜Ｃ７シクロアルキル、または３〜１０員複素環は、これらのいずれもが、非置換であってもよく、またはハロ、−ＯＨ、−ＣＮ、−ＣＯＯＲ’、−ＯＲ’、−ＳＲ’、−ＯＣ（Ｏ）Ｒ’、−ＮＨＲ’、−ＮＲ’Ｒ”、−ＮＨＣ（Ｏ）Ｒ’、−ＮＨＣ（Ｏ）ＮＲ’Ｒ”、−Ｃ（Ｏ）ＮＲ’Ｒ”、−ＮＳ（Ｏ）２Ｒ’、−Ｓ（Ｏ）２ＮＲ’Ｒ”、−Ｓ（Ｏ）２Ｒ’、グアニジノ、ニトロ、ニトロソ、−Ｃ１〜Ｃ６アルキル、アリール、−Ｃ３〜Ｃ７シクロアルキルのうちの１つもしくは複数で置換されていてもよく；
Ｙは、Ｈ、−Ｃ１〜Ｃ６アルキル、−Ｃ３〜Ｃ１２シクロアルキル、アリール、３〜１０員複素環からなる群から選択され、ここで、−Ｃ１〜Ｃ６アルキル、−Ｃ３〜Ｃ１２シクロアルキル、アリール、３〜１０員複素環は、これらのいずれもが、非置換であってもよく、または−ハロ、−Ｃ１〜Ｃ６アルキル、−Ｃ３〜Ｃ１２シクロアルキルシクロアルキル、３〜１０員複素環、アリール、−ＯＨ、−ＣＮ、−ＣＯＯＲ’、−ＯＲ’、−ＳＲ’、−ＯＣ（Ｏ）Ｒ’、−ＮＨＲ’、−ＮＲ’Ｒ”、−ＮＨＣ（Ｏ）Ｒ’、−ＮＨＣ（Ｏ）ＮＲ’Ｒ”、−Ｃ（Ｏ）ＮＲ’Ｒ”、−ＮＳ（Ｏ）２Ｒ’、−Ｓ（Ｏ）２ＮＲ’Ｒ”、−Ｓ（Ｏ）２Ｒ’、グアニジノ、ニトロ、ニトロソのうちの１つもしくは複数で置換されていてもよく；
Ｒ’またはＲ”は、−Ｈであってもよく、または−Ｃ１〜Ｃ６アルキルであってもよく；
Ｚは、−ＮＨＯＨであり；そして、
Ｑは、Ｈおよびハロからなる群から選択される）
を含む、組成物。
【請求項１５】
前記少なくとも１つのＨＤＡＣが、ＨＤＡＣ３および／またはＨＤＡＣ６である、請求項１４に記載の組成物。
【手続補正書】
【提出日】令和2年11月20日(2020.11.20)
【手続補正１】
【補正対象書類名】特許請求の範囲
【補正対象項目名】全文
【補正方法】変更
【補正の内容】
【特許請求の範囲】
【請求項１】
サポニンおよびチョークベリー果実抽出物を含む経口投与用液体組成物であって、前記サポニンがβ−エスシンであることを特徴としており、前記サポニンは、２０〜８０ｍｇ／ｌの濃度で前記組成物中に存在し、かつ前記チョークベリー果実抽出物は、β−エスシンの味を隠すのに十分な量で存在する、アセトアルデヒド毒性の増加に関連する代謝状態の治療および／または予防に使用するための組成物。
【請求項２】
β−エスシンの濃度が５０ｍｇ／ｌ〜７５ｍｇ／ｌである、請求項１に記載の組成物。
【請求項３】
β−エスシンの前記濃度が６２．５ｍｇ／ｌである、請求項２に記載の組成物。
【請求項４】
前記チョークベリー果実抽出物が、５０〜２００ｇ／ｌの濃度で前記組成物中に存在する、請求項１〜３のいずれか一項に記載の組成物。
【請求項５】
チョークベリー果実抽出物が、１００ｇ／ｌ〜１５０ｇ／ｌの濃度で前記組成物中に存在する、請求項４に記載の組成物。
【請求項６】
チョークベリー果実抽出物が１１５ｇ／ｌ〜１３５ｇ／ｌの濃度で前記組成物中に存在する、請求項５に記載の組成物。
【請求項７】
チョークベリー果実抽出物が、１２５ｇ／ｌの濃度で前記組成物中に存在する、請求項６に記載の組成物。
【請求項８】
チョークベリー果実抽出物がチョークベリー果汁濃縮物である、請求項１〜７のいずれか一項に記載の組成物。
【請求項９】
前記代謝状態が、二日酔い、アルコール中毒、食道癌、または口腔咽頭癌、または不十分なアルデヒド脱水素酵素（ＡＬＤＨ）の酵素活性の結果生じる状態からなる群から選択される、請求項１〜８のいずれか一項に記載の組成物。
【請求項１０】
前記代謝状態は、遺伝子突然変異ＡＬＤＨ２＊２を有する対象にある、請求項９に記載の組成物。
【請求項１１】
前記状態が、アルコールフラッシング反応およびアルコール誘発性呼吸反応から選択される、請求項１０に記載の組成物。
【手続補正書】
【提出日】令和3年3月16日(2021.3.16)
【手続補正１】
【補正対象書類名】特許請求の範囲
【補正対象項目名】全文
【補正方法】変更
【補正の内容】
【特許請求の範囲】
【請求項１】
造影剤を必要とする処置を受けている患者における造影剤誘発急性腎障害を処置するための医薬組成物であって、該組成物は、トリメタジジンまたはその医薬的に許容される塩、および医薬的に許容される担体を含有し、20mgを超える量のトリメタジジンまたはその医薬的に許容される塩またはその医薬的に許容される塩を該患者に投与することを含む、該医薬組成物。
【請求項２】
患者が、60mgのトリメタジジンまたはその医薬的に許容される塩を24時間で投与される、請求項1に記載の医薬組成物。
【請求項３】
患者が、トリメタジジンまたはその医薬的に許容される塩を、処置を受ける48時間前に投与される、請求項1に記載の医薬組成物。
【請求項４】
トリメタジジンまたはその医薬的に許容される塩が、1日3回投与される、請求項1に記載の医薬組成物。
【請求項５】
トリメタジジンまたはその医薬的に許容される塩が、20mgの即時放出剤形として投与される、請求項1に記載の医薬組成物。
【請求項６】
患者が、トリメタジジンまたはその医薬的に許容される塩を1日3回、造影剤を与えられる前に48時間超投与される、請求項1に記載の医薬組成物。
【請求項７】
患者が、腎機能障害を有し、トリメタジジンまたはその医薬的に許容される塩を、処置を受けた後に60日間超投与される、請求項1に記載の医薬組成物。
【請求項８】
患者が、トリメタジジンまたはその医薬的に許容される塩を1日3回、処置後合計90日間投与される、請求項1に記載の医薬組成物。
【請求項９】
患者が、腎機能障害を有し、トリメタジジンまたはその医薬的に許容される塩を1日3回、心臓処置を受ける前に48時間超投与され、トリメタジジンまたはその医薬的に許容される塩を1日3回、処置を受けた後に少なくとも60日間投与される、請求項1に記載の医薬組成物。
【請求項１０】
トリメタジジンまたはその医薬的に許容される塩の投与が、主要有害腎または心イベントの発生率を低下させる、請求項1に記載の医薬組成物。
【請求項１１】
造影剤を必要とする処置を受けている患者における造影剤誘発急性腎障害を軽減するための医薬組成物であって、該組成物は、トリメタジジンまたはその医薬的に許容される塩、および医薬的に許容される担体を含有し、該組成物が、約65μg/ml超のCmaxを含むインビボ血漿プロファイルを提供する、該医薬組成物。
【請求項１２】
患者が、60mgのトリメタジジンまたはその医薬的に許容される塩を24時間で投与される、請求項11に記載の医薬組成物。
【請求項１３】
患者が、トリメタジジンまたはその医薬的に許容される塩を、処置を受ける48時間前に投与される、請求項11に記載の医薬組成物。
【請求項１４】
トリメタジジンまたはその医薬的に許容される塩が、1日3回投与される、請求項11に記載の医薬組成物。
【請求項１５】
トリメタジジンまたはその医薬的に許容される塩が、20mgの即時放出剤形として投与される、請求項11に記載の医薬組成物。
【請求項１６】
患者が、トリメタジジンまたはその医薬的に許容される塩を1日3回、造影剤を与えられる前に48時間超投与される、請求項11に記載の医薬組成物。
【請求項１７】
処置を必要とする患者が、トリメタジジンまたはその医薬的に許容される塩を、処置を受けた後に60日間超投与される、請求項11に記載の医薬組成物。
【請求項１８】
患者が、トリメタジジンまたはその医薬的に許容される塩を1日3回、処置後合計90日間投与される、請求項11に記載の医薬組成物。
【請求項１９】
処置を必要とする患者が、トリメタジジンまたはその医薬的に許容される塩を1日3回、心臓処置を受ける前に48時間超投与され、トリメタジジンまたはその医薬的に許容される塩を1日3回、処置を受けた後に少なくとも60日間投与される、請求項11に記載の医薬組成物。
【請求項２０】
リメタジジンまたはその医薬的に許容される塩の投与が、主要有害腎または心イベントの発生率を低下させる、請求項11に記載の医薬組成物。
【請求項２１】
造影剤を必要とする処置を受けている患者における造影剤誘発急性腎障害を軽減するための医薬組成物であって、該組成物は、トリメタジジンまたはその医薬的に許容される塩、および医薬的に許容される担体を含有し、該組成物が、約500μg・hr/ml超のAUCを含むインビボ血漿プロファイルを提供する、該医薬組成物。
【請求項２２】
患者が、60mgのトリメタジジンまたはその医薬的に許容される塩を24時間で投与される、請求項21に記載の医薬組成物。
【請求項２３】
患者が、トリメタジジンまたはその医薬的に許容される塩を、処置を受ける48時間前に投与される、請求項21に記載の医薬組成物。
【請求項２４】
トリメタジジンまたはその医薬的に許容される塩が、1日3回投与される、請求項21に記載の医薬組成物。
【請求項２５】
トリメタジジンまたはその医薬的に許容される塩が、20mgの即時放出剤形として投与される、請求項21に記載の医薬組成物。
【請求項２６】
患者が、トリメタジジンまたはその医薬的に許容される塩を1日3回、造影剤を与えられる前に48時間超投与される、請求項21に記載の医薬組成物。
【請求項２７】
処置を必要とする患者が、トリメタジジンまたはその医薬的に許容される塩を、処置を受けた後に60日間超投与される、請求項21に記載の医薬組成物。
【請求項２８】
患者が、トリメタジジンまたはその医薬的に許容される塩を1日3回、処置後合計90日間投与される、請求項21に記載の医薬組成物。
【請求項２９】
患者が、腎機能障害を有し、トリメタジジンまたはその医薬的に許容される塩を1日3回、心臓処置を受ける前に48時間超投与され、トリメタジジンまたはその医薬的に許容される塩を1日3回、処置を受けた後に少なくとも60日間投与される、請求項21に記載の医薬組成物。
【請求項３０】
トリメタジジンまたはその医薬的に許容される塩の投与が、主要有害腎または心イベントの発生率を低下させる、請求項21に記載の医薬組成物。
【手続補正書】
【提出日】令和2年11月27日(2020.11.27)
【手続補正１】
【補正対象書類名】特許請求の範囲
【補正対象項目名】全文
【補正方法】変更
【補正の内容】
【特許請求の範囲】
【請求項１】
CuKαX線の照射によるX線回折により測定される、又はX線回折から計算される、9.7°±0.5、10.2°±0.5、及び11.3°±0.5の回折角2θ(°)にピークを有する、セピアプテリンフリー塩基の結晶形F。
【請求項２】
CuKαX線の照射によるX線回折により測定される、又はX線回折から計算される、9.7°±0.5、10.2°±0.5、11.3°±0.5、14.0°±0.5、14.6°±0.5、19.9°±0.5、22.2°±0.5、25.3°±0.5、及び32.4°±0.5の回折角2θ(°)にピークを有する、請求項1に記載のセピアプテリンフリー塩基の結晶形F。
【請求項３】
(a)図4に示すような粉末X線回折スペクトルを有する、及び／又は
(b)示差走査熱量測定（DSC）プロファイルにおいて約113°C又は196°Cの吸熱開始温度を有する、
請求項1又は2に記載のセピアプテリンフリー塩基の結晶形F。
【請求項４】
示差走査熱量測定（DSC）プロファイルにおいて約113°C及び196°Cの吸熱開始温度を有する、請求項1〜3のいずれか1項に記載のセピアプテリンフリー塩基の結晶形F。
【請求項５】
CuKαX線の照射によるX線回折により測定される、又はX線回折から計算される、8.9°±0.5、10.3°±0.5、及び26.0°±0.5の回折角2θ(°)にピークを有するセピアプテリンフリー塩基の結晶形D。
【請求項６】
CuKαX線の照射によるX線回折により測定される、又はX線回折から計算される、8.9°±0.5、10.3°±0.5、10.9°±0.5、17.8°±0.5、4.9°±0.5、26.0±0.5、26.7°±0.5、26.8°±0.5、及び28.3°±0.5の回折角2θ(°)にピークを有する、請求項5に記載のセピアプテリンフリー塩基の結晶形D。
【請求項７】
(a)図3に示すような粉末X線回折スペクトルを有する、及び／又は
(b)示差走査熱量測定（DSC）プロファイルにおいて約43°C、66°C、又は233°Cの吸熱開始温度を有する、
請求項5又は6に記載のセピアプテリンフリー塩基の結晶形D。
【請求項８】
示差走査熱量測定（DSC）プロファイルにおいて約43°C、66°C、及び233°Cの吸熱開始温度を有する、請求項14〜19のいずれか1項に記載のセピアプテリンフリー塩基の結晶形D。
【請求項９】
組成物であって、請求項1〜4のいずれか1項に記載のセピアプテリンフリー塩基の結晶形F、又は請求項5〜8のいずれか1項に記載のセピアプテリンフリー塩基の結晶形D、を含み、とりわけ、前記セピアプテリン結晶形は、前記組成物の少なくとも90重量パーセントの量で存在する、組成物。
【請求項１０】
請求項1〜4のいずれか1項に記載のセピアプテリンフリー塩基の結晶形F又は請求項5〜8のいずれか1項に記載のセピアプテリンフリー塩基の結晶形D、及び薬学的に許容される担体を含む、医薬組成物。
【請求項１１】
前記セピアプテリン結晶形は、100μm未満のサイズの粒子で処方される、請求項10に記載の医薬組成物。
【請求項１２】
請求項1〜4のいずれか1項に記載のセピアプテリンフリー塩基の結晶形又は請求項5〜8のいずれか1項に記載のセピアプテリンフリー塩基の結晶形Dの調製方法であって、
水、アセトン/水、イソプロパノール/酢酸イソプロピル、又はテトラヒドロフラン/n-ヘキサン中の第1のセピアプテリン結晶形のスラリーを調製する工程、
前記スラリーからセピアプテリンフリー塩基の結晶形Dを単離する工程、及び
前記結晶形Dを乾燥する工程、
を含む、方法。
【請求項１３】
前記結晶形Dを20〜30℃で6〜24時間乾燥する、請求項12に記載の方法。
【請求項１４】
前記結晶形Dを40〜60℃で5〜10時間乾燥し、セピアプテリンフリー塩基の結晶形Fを生産する、請求項12又は13に記載の方法。
【請求項１５】
前記結晶形Dを大気圧で乾燥する、又は結晶形Dを真空下で乾燥する、請求項14に記載の方法。
【請求項１６】
それを必要とする対象におけるBH4レベルの増加、及び／又はそれを必要とする対象におけるフェニルアラニンレベルの減少、及び／又は対象におけるフェニルアラニンヒドロキシラーゼ活性の増加、及び／又はそれを必要とする対象におけるセロトニンの増加、及び／又は対象におけるトリプトファンヒドロキシラーゼ活性の増加、及び／又はそれを必要とする対象におけるドーパミンレベルの増加、及び／又は対象におけるチロシンヒドロキシラーゼ活性の増加、及び／又は対象におけるニトリックオキシドシンターゼ活性の増加、及び／又は対象におけるアルキルグリセロールモノオキシゲナーゼ活性の増加、及び／又はそれを必要とする患者におけるBH4関連疾患の治療における使用のための、請求項1〜4のいずれか1項に記載のセピアプテリンフリー塩基の結晶形Fもしくは請求項5〜8のいずれか1項に記載のセピアプテリンフリー塩基の結晶形Dを含む組成物、又は請求項9〜11のいずれか1項に記載の組成物。
【請求項１７】
前記BH4関連疾患は、プライマリーテトラヒドロビオプテリン欠乏症、GTPCH欠乏症、6-ピルボイル-テトラヒドロプテリンシンターゼ（PTPS）欠乏症、DHPR欠乏症、セピアプテリンレダクターゼ欠乏症、ドーパミン反応性ジストニア、瀬川症候群、チロシンヒドロキシラーゼ欠損症、フェニルケトン尿症、DNAJC12欠乏症、パーキンソン病、パーキンソン病に起因するうつ病、大うつ病、自閉症スペクトラム、ADHD、統合失調症、双極性障害、脳虚血、レストレスレッグス症候群、強迫性障害、不安、脳血管障害、胃不全麻痺、くも膜下出血後のけいれん、心筋炎、冠血管攣縮、心肥大、動脈硬化症、高血圧症、血栓症、感染症、エンドトキシンショック、肝硬変、肥厚性幽門狭窄、胃粘膜損傷、肺高血圧症、腎機能障害、インポテンツ、又は低血糖である、請求項16に記載の組成物。
【請求項１８】
液体製剤の調製方法であって、液体中で請求項1〜8のいずれか1項に記載のセピアプテリンフリー塩基の結晶形を分散させる工程を含む、方法。
【請求項１９】
前記液体製剤は懸濁液である、請求項18に記載の方法。